(57)【要約】【課題】広モードで吐水している場合でも、汚れが多く付着する部分を効果的に洗浄可能なビデ洗浄装置を提供すること。【解決手段】便器７１後部に対して前後方向に進退可能に設けられる長尺のノズル部１２と、ノズル部１２の先端側に配置され、使用者の身体局部に対して洗浄水を吐水する複数の吐水孔群２と、を有するビデ洗浄装置１であって、複数の吐水孔群２は、身体局部近傍の所定の範囲に対して吐水する狭モード吐水用の狭域吐水孔２１と、所定の範囲よりも広い範囲に吐水する広モード吐水用の広域吐水孔群２２と、を有し、広域吐水孔群２２から吐水される洗浄水が使用者に着水する広モード着水範囲Ｗ１のうち、狭域吐水孔２１から吐水される洗浄水が使用者に着水する狭モード着水範囲Ｎ１と重なるコア着水部２２１における着水力は、広モード着水範囲Ｗ１のうち、狭モード着水範囲Ｎ１と重ならない周辺着水部２２２よりも高い、ビデ洗浄装置１である。【選択図】図４
2020056159.tif 000002
【特許請求の範囲】
【請求項１】
便器後部に対して前後方向に進退可能に設けられ、前記前後方向を長手方向とする長尺のノズル部と、
前記ノズル部の先端側に配置され、使用者の身体局部に対して洗浄水を吐水する複数の吐水孔群と、を有するビデ洗浄装置であって、
前記複数の吐水孔群は、
前記身体局部近傍の所定の範囲に対して吐水する狭モード吐水用の狭域吐水孔と、
前記所定の範囲よりも広い範囲に吐水する広モード吐水用の広域吐水孔群と、を有し、
前記広域吐水孔群から吐水される洗浄水が前記使用者に着水する広モード着水範囲のうち、前記狭域吐水孔から吐水される洗浄水が前記使用者に着水する狭モード着水範囲と重なるコア着水部における着水力は、前記広モード着水範囲のうち、前記狭モード着水範囲と重ならない周辺着水部よりも高い、ビデ洗浄装置。
【請求項２】
前記狭モード着水範囲における着水力は、前記広モード着水範囲における前記周辺着水部の着水力よりも高い、請求項１に記載のビデ洗浄装置。
【請求項３】
前記狭モード着水範囲における着水力は、前記広モード着水範囲における前記コア着水部の着水力と略同一である、請求項１に記載のビデ洗浄装置。
【請求項４】
前記広モード吐水は、
前記広域吐水孔群及び前記狭域吐水孔の両方から同時に吐水される同時吐水モードを有し、
前記同時吐水モードにおいて、前記広域吐水孔群から吐水される洗浄水の着水力は、前記狭域吐水孔から吐水される洗浄水の着水力よりも小さく、
前記広域吐水孔群は、前記狭域吐水孔を取り囲むように吐水する、請求項１〜３のいずれか１項に記載のビデ洗浄装置。
【請求項５】
前記着水力は、前記複数の吐水孔群を構成する吐水孔のそれぞれの口径を変更することで変更される、請求項１〜４のいずれか１項に記載のビデ洗浄装置。
【発明の詳細な説明】
【技術分野】
【０００１】
本発明は、ビデ洗浄装置に関する。
【背景技術】
【０００２】
従来、便器装置に取り付けられ、操作により作動時に伸長して女性身体の局部を洗浄するビデ洗浄装置が知られている。ビデ洗浄装置は、身体を洗浄するための洗浄水を吐水する吐水孔が設けられており、ノズル内を流通した洗浄水が局部に向けて吐水される。吐水範囲を広げて局部の周囲も洗浄することができるように、一つの吐水孔から、所定範囲に吐水する狭モード吐水と、狭モード吐水よりも広い範囲に吐水する広モード吐水を行うように構成されたビデ洗浄装置が提案されている（例えば、特許文献１参照）。
【０００３】
この技術では、狭モード吐水により吐水される範囲と、広モード吐水により吐水される範囲とを比べたときに、狭モード吐水により吐水される洗浄水の方が、広モード吐水により吐水される洗浄水も低い着水力で着水するように構成されている。また、狭モード吐水及び広モード吐水は、一つの吐水孔でなされているため、着水力の制御は、狭モード吐水全体、広モード吐水全体でそれぞれ行われていた。
【先行技術文献】
【特許文献】
【０００４】
【特許文献１】特許第５６３３８６７号公報
【発明の概要】
【発明が解決しようとする課題】
【０００５】
狭モードで吐水される範囲は、より汚れが多く付着する局部の周辺に対応する。狭モードで吐水される範囲の着水力が小さいと、最も汚れが多く付着する部分の汚れを十分に落としきれない懸念があった。また、汚れが多く付着する部分では、広モードで吐水している場合でも、効果的に洗浄を行うことが望まれていた。
【課題を解決するための手段】
【０００６】
本発明は、便器（例えば、後述の便器７１）後部に対して前後方向に進退可能に設けられ、前記前後方向を長手方向とする長尺のノズル部（例えば、後述のノズル部１２）と、前記ノズル部の先端側に配置され、使用者の身体局部に対して洗浄水を吐水する複数の吐水孔群（例えば、後述の複数の吐水孔群２）と、を有するビデ洗浄装置（例えば、後述のビデ洗浄装置１）であって、前記複数の吐水孔群は、前記身体局部近傍の所定の範囲に対して吐水する狭モード吐水用の狭域吐水孔（例えば、後述の狭域吐水孔群２１、狭域吐水孔２１Ｃ）と、前記所定の範囲よりも広い範囲に吐水する広モード吐水用の広域吐水孔群（例えば、後述の広域吐水孔群２２）と、を有し、前記広域吐水孔群から吐水される洗浄水が前記使用者に着水する広モード着水範囲（例えば、後述の広モード着水範囲Ｗ１）のうち、前記狭域吐水孔から吐水される洗浄水が前記使用者に着水する狭モード着水範囲（例えば、後述の狭モード着水範囲Ｎ１）と重なるコア着水部（例えば、後述のコア着水部２２１）における着水力は、前記広モード着水範囲のうち、前記狭モード着水範囲と重ならない周辺着水部（例えば、後述の周辺着水部２２２）よりも高い、ビデ洗浄装置に関する。
【０００７】
前記狭モード着水範囲における着水力は、前記広モード着水範囲における前記周辺着水部の着水力よりも高いことが好ましい。
【０００８】
前記狭モード着水範囲における着水力は、前記広モード着水範囲における前記コア着水部の着水力と略同一であることが好ましい。
【０００９】
前記広モード吐水は、前記広域吐水孔群及び前記狭域吐水孔の両方から同時に吐水される同時吐水モードを有し、前記同時吐水モードにおいて、前記広域吐水孔群から吐水される洗浄水の着水力は、前記狭域吐水孔から吐水される洗浄水の着水力よりも小さく、前記広域吐水孔群は、前記狭域吐水孔を取り囲むように吐水することが好ましい。
【００１０】
前記着水力は、前記複数の吐水孔群を構成する吐水孔（例えば、後述の吐水孔２０）のそれぞれの口径を変更することで変更されることが好ましい。
【発明の効果】
【００１１】
本発明によれば、広モードで吐水している場合でも、汚れが多く付着する部分を効果的に洗浄可能なビデ洗浄装置を提供することができる。
【図面の簡単な説明】
【００１２】
【図１】第１実施形態の便器装置の斜視図である。
【図２】第１実施形態のビデ洗浄装置の斜視図である。
【図３】第１実施形態のヘッド部の上面を示し、（ａ）図は、狭域吐水孔群を示し、（ｂ）図は広域吐水孔群を示す。本実施形態のヘッド部の上面図である。
【図４】第１実施形態の広モード吐水における着水力と、広モード着水範囲における前後方向の着水位置の関係を示す図である。
【図５】第１実施形態のビデ洗浄装置の横断面図であり、（ａ）図は、狭モード吐水群の流路を示し、（ｂ）図は広モード吐水群の流路を示す。
【図６】第１実施形態の狭モードの着水力と、広モードの着水力との関係を示す図である。
【図７】第２実施形態の狭モードの着水力と、広モードの着水力との関係を示す図である。
【図８】第３実施形態に係るヘッド部の上面図である。
【図９】第３実施形態に係るビデ洗浄装置の使用の状態を示す模式図である。
【図１０】第４実施形態に係るビデ洗浄装置のヘッド部の斜視図である。
【発明を実施するための形態】
【００１３】
以下、本発明の第１実施形態について、図面を参照しながら詳細に説明する。図１に示すように、本実施形態のビデ洗浄装置１は、便器装置７に取り付けられている。
便器装置７は、便器７１と、便座７２と、便蓋７３と、機能部７４と、操作パネル７５と、を有する。
便器７１は上部が開口した凹部を有する洋式便器である。便座７２は、便器７１の開口部の周囲に取り付けられる略環状の座面である。便蓋７３は、便座７２の開口を覆うように開閉可能な蓋である。機能部７４は、便器７１の上部後方に配置され、便器装置７の各種機能を実行する制御部が設けられた部分である。機能部７４には、便座７２及び便蓋７３が取り付けられるとともに、内部にビデ洗浄装置１が配置される。
操作パネル７５は、機能部７４から延出して便座７２の機能部７４側の側部に配置される。操作パネル７５には、機能部７４と接続されている複数の操作部が設けられ、ビデ洗浄を行うように操作したり、ビデ洗浄の各種操作モードを選択したりすることができるように構成されている。
【００１４】
ビデ洗浄装置１は、便座７２の開口部における後方側で、機能部７４の前端部側に配置される。ビデ洗浄装置１は、図示しない駆動機構により駆動されて、使用時には前方の斜め下方へ伸長する。ビデ洗浄装置１は、おしりを洗浄する他のノズルと隣接して取り付けられ、特に女性器を洗浄するために用いられるノズルである。
なお、本明細書において、前方とは、便器装置７に対して使用者が位置する側を言い、後方とは使用者が位置する側に対向する側を言う。
【００１５】
図２（ａ）図は、ビデ洗浄装置１が狭モード吐水を行っている状態の斜視図であり、図２（ｂ）は、広モード吐水を行っている状態の斜視図である。説明のため、ビデ洗浄装置１を吐水された洗浄水とともに示している。ビデ洗浄装置１は、使用者が操作パネル７５を操作することによって、狭モード吐水及び広モード吐水のいずれかを選択的に行うことが可能である。
狭モード吐水とは、主に使用者の身体局部（以下単に局部とも言う）に向けて狭い範囲に吐水することである。
広モード吐水とは、狭モード吐水よりも広い範囲で局部の周囲及び前後を含む範囲に吐水することである。図２に示すように、ビデ洗浄装置１は、広モード吐水の着水範囲が長方形になるように構成されている。
なお、局部とは、女性身体の膣口近傍を意味する。
着水範囲とは、ビデ洗浄装置１から吐水された洗浄水が、使用者の身体に着水する範囲を意味する。また、洗浄水とは、温度に関わらず吐水される水を意味し、水及び湯のいずれをも含む。
【００１６】
ビデ洗浄装置１は、ノズル部１２と、ヘッド部１１とを有する。
ノズル部１２は、機能部７４に収容されて、便器７１後部に対して前後方向に進退可能に設けられている。ノズル部１２は、前後方向を長手方向とする長尺に形成され、内部に洗浄水が流通可能な中空部を有する。ノズル部１２の基端側は、ビデ洗浄装置１を駆動するモータや、給水源、給水源からビデ洗浄装置１への給水を制御する給水弁、給水ポンプ及び流路を切り替える流路切り替え弁等（図示省略）に接続されている。
【００１７】
図３は、ヘッド部１１の上面を示し、図３（ａ）は、狭域吐水孔群２１を示し、図３（ｂ）は広域吐水孔群２２を示す。図３（ａ）及び図３（ｂ）に示すように、ヘッド部１１は、略直方体に形成され、ノズル部１２の先端に配置されている。ヘッド部１１は、その上面に、内部から貫通する複数の吐水孔群２が形成されている。複数の吐水孔群２は、使用者の局部及びその周辺に対して洗浄水を吐水するための孔である。複数の吐水孔群２は、ヘッド部１１の前後方向に沿って間を空けて２列と、前後方向の中央部で幅方向の両外側に２つの吐水孔２０を有する。複数の吐水孔群２は、これらの吐水孔２０によって構成される狭域吐水孔群２１と、広域吐水孔群２２と、を有する。
【００１８】
狭域吐水孔群２１は、狭モード吐水の際に使用される。狭域吐水孔群２１は、複数の吐水孔群２のうち、前後方向の略中央部における幅方向の内側に配置される４つの吐水孔２０ａにより構成され、使用者の局部近傍の所定の範囲に吐水する。図２（ａ）に示すように、狭域吐水孔群２１から吐水される洗浄水が使用者に着水する範囲は、狭モード着水範囲Ｎ１となる。
【００１９】
広域吐水孔群２２は、広モード吐水の際に使用される。広域吐水孔群２２は、狭域吐水孔群２１が吐水する所定の範囲よりも広い範囲に吐水する。図２（ｂ）に示すように、広域吐水孔群２２から吐水される洗浄水が使用者に着水する範囲は、広モード着水範囲Ｗ１となる。広域吐水孔群２２を構成する吐水孔２０ｂの外径は、狭域吐水孔群２１構成する吐水孔２０ａの外径よりも小さい。
【００２０】
広域吐水孔群２２は、コア部２２ａと、周辺部２２ｂとを有する。
図３（ｂ）に示すように、コア部２２ａは、広域吐水孔群２２のうち、狭域吐水孔群２１の幅方向の一方及び他方側に配置される２つずつの吐水孔２０１、２０２、２０３、２０４により構成される。コア部２２ａから吐水された洗浄水が着水するコア着水部２２１は、図２（ａ）〜図３（ｂ）に示されるように、狭モード着水範囲Ｎ１と重なる。
周辺部２２ｂは、広域吐水孔群２２のうち、狭域吐水孔群２１の周囲に配置され、狭域吐水孔群２１の前方の４つ及び後方の６つの吐水孔２０ｂにより構成される。周辺部２２ｂから吐水された洗浄水が着水する周辺着水部２２２は、図２（ａ）〜図３（ｂ）に示されるように、狭モード着水範囲Ｎ１と重ならない。
【００２１】
図３（ｂ）に示すように、広モード吐水の際の広域吐水孔群２２のコア部２２ａと、広域吐水孔群２２の周辺部２２ｂと、を比較すると、周辺部２２ｂを構成する吐水孔２０の合計の開口面積の方が、コア部２２ａを構成する吐水孔２０の合計の開口面積よりも大きくなっている。コア部２２ａから吐水される流速は、周辺部２２ｂから吐水される流速と比べて速い。
【００２２】
図４は、広モード吐水時における着水力と、広モード着水範囲Ｗ１における前後方向の着水位置の関係を示す図である。本明細書において、着水力とは、吐水孔２０から吐水される水の質量と速度との積で求められる値である。図中の横軸は、広モード着水範囲Ｗ１における前後方向の着水位置を示し、縦軸は、着水力を示している。図４に示すように、広モード着水範囲Ｗ１における前後方向の中央部付近では、着水力は中央付近以外の部分よりも高くなっている。広モード着水範囲Ｗ１の前後方向の中央部付近は、コア部２２ａから吐水される洗浄水が着水するコア着水部２２１が位置しており、コア着水部２２１における着水力は、周辺部２２ｂから吐水される洗浄水が着水する周辺着水部２２２における着水力よりも高い。
【００２３】
図５（ａ）は、狭モード吐水群の流路を示し、図５（ｂ）は広モード吐水群の流路を示す。
ノズル部１２及びヘッド部１１の内部には、給水源と連絡する洗浄水の流路が形成されている。ノズル部１２及びヘッド部１１は、狭域吐水孔群２１に連通する狭モード流路１３と、広域吐水孔群２２に連通する広モード流路１４とを有する。
【００２４】
狭モード流路１３及び広モード流路１４は、具体的には同軸で二重の給水管により形成されており、中心側が狭モード流路１３となり、狭モード流路１３から隔壁を隔てた外側が広モード流路１４となっている。ノズル部１２の基端には、狭モード流路１３及び広モード流路１４それぞれに給水する２本の給水管が接続されている。
【００２５】
図６は、洗浄水が着水した位置における狭モード吐水の着水力と、広モード吐水の着水力との関係を示す図である。図中の横軸は、広モード着水範囲Ｗ１及び狭モード着水範囲Ｎ１における前後方向の着水位置を示し、縦軸は、着水力を示し、図中、狭モード吐水をＮで示し、広モード吐水をＷで示している。
【００２６】
狭モード流路１３及び広モード流路１４は、互いに流路が異なっているため、狭域吐水孔群２１と広域吐水孔群２２との口径差（開口面積の差）のみが着水力に影響すると考えることはできないが、狭モード吐水における着水力と、広モード吐水における着水力を比較すると、狭モード吐水における着水力が、広モード吐水の際に広域吐水孔群２２における周辺部２２ｂから吐水された洗浄水の着水力（周辺着水部２２２の着水力）よりも高くなるように流速が調整されている。また、狭モード吐水における着水力は、広モード吐水の際にコア部２２ａから吐水された洗浄水の着水力（コア着水部２２１の着水力）よりも高くなるように流速が調整されている。
【００２７】
以上のビデ洗浄装置１は、便器装置７の操作パネル７５等を操作することで、狭モード吐水を行うか、広モード吐水を行うかいずれかが選択され、作動する。
狭モード吐水を行うように操作された場合は、機能部７４内の制御部により流路切り替え弁が操作され、狭モード流路１３に給水される。狭モード流路１３を流通する洗浄水は、狭域吐水孔群２１の吐水孔２０ａから使用者の局部近傍に向けて吐水される。
広モード吐水を行うように操作された場合は、機能部７４内の制御部により流路切り替え弁が操作され、広モード流路１４に給水される。広モード流路１４を流通する洗浄水は、広域吐水孔群２２のコア部２２ａ及び周辺部２２ｂの吐水孔２０ｂから使用者の局部の周囲及び局部の前方側及び後方側に向けて吐水される。このとき、広域吐水孔群２２から吐水される洗浄水の着水範囲のうち、コア着水部２２１の着水力の方が、周辺着水部２２２の着水力よりも高くなっている。
【００２８】
本実施形態によれば、以下の効果を奏する。
本実施形態では、ビデ洗浄装置１を、便器７１後部に対して前後方向に進退可能に設けられ、前後方向を長手方向とする長尺のノズル部１２と、ノズル部１２の先端側に配置され、使用者の身体局部に対して洗浄水を吐水する複数の吐水孔群２と、を含んで構成した。また、複数の吐水孔群２を、身体局部近傍の所定の範囲に対して吐水する狭モード吐水用の狭域吐水孔２１と、記所定の範囲よりも広い範囲に吐水する広モード吐水用の広域吐水孔群２２と、を有し、広域吐水孔群２２から吐水される洗浄水が使用者に着水する広モード着水範囲のうち、狭域吐水孔２１から吐水される洗浄水が使用者に着水する狭モード着水範囲と重なるコア着水部２２１における着水力を、広モード着水範囲のうち、前記狭モード着水範囲と重ならない周辺着水部２２２よりも高くした。
広域吐水孔群２２が、複数の吐水孔２０を有しているので、広域吐水孔群２２内で着水力に高低の違いを有するように分布させることができる。具体的には、広モード着水範囲Ｗ１のうち、狭モード着水範囲Ｎ１と重なるコア着水部２２１の着水力を、広モード着水範囲Ｗ１のうち、狭モード着水範囲Ｎ１と重ならない周辺着水部２２２の着水力よりも高くすることができる。これにより、広モード吐水中に、最も汚れが付着しやすい部分を、効率良く効果的に洗浄することができる。
【００２９】
本実施形態では、狭モード着水範囲Ｎ１における着水力を、広モード着水範囲Ｗ１における周辺着水部２２２の着水力よりも高くした。これにより、狭モード吐水を単独で行った場合でも、広モード吐水を単独で行った場合のいずれでも、最も汚れが付着しやすい部分を、効率良く効果的に洗浄することができる。
【００３０】
以上、本発明の好ましい実施形態について説明したが、本発明は、上述の実施形態に制限されるものではなく、適宜変更が可能である。
例えば、狭域吐水孔群２１及び広域吐水孔群２２の配置は例示であり、他の配置がなされてもよい。広域吐水孔群２２のコア着水部２２１と、狭域吐水孔群２１の狭モード着水範囲Ｎ１は、互いに重なっている部分が重ならない部分よりも多ければよい。一部に重ならない部分があっても、互いに重なっている部分が多くあれば、本発明の範囲内である。また、広域吐水孔群２２の周辺着水部２２２と、狭域吐水孔群２１狭モード着水範囲Ｎ１は、一部に重なる部分があっても、重ならない部分が、重なる部分よりも多ければ、本発明の範囲内である。
【００３１】
図７は、第２実施形態の狭モードの着水力と、広モードの着水力との関係を示す図である。図中の横軸は、広モード着水範囲Ｗ１及び狭モード着水範囲Ｎ１における前後方向の着水位置を示し、縦軸は、着水力を示す。図中、狭モード吐水をＮで示し、広モード吐水をＷで示している。第２実施形態以降の説明において、第１実施形態と共通する部分については説明を省略する。
【００３２】
第２実施形態では、狭モード吐水における狭モード着水範囲Ｎ１の着水力と、広モード吐水における広モード着水範囲Ｗ１のコア着水部２２１の着水力とが、略同一の着水力を有するように流量及び流速が調整されている。
第２実施形態によれば、狭モード吐水と広モード吐水とを使用者が切り替えた場合に、局部周辺にかかる刺激の強さに変化がないので、違和感のない快適な洗浄を行うことができる。
【００３３】
図８は、第３実施形態に係るヘッド部１１Ｂの上面図である。第３実施形態では、広モード吐水は、狭域吐水孔群２１Ｂ及び広域吐水孔群２２Ｂの両方から同時に吐水される同時吐水モードを有する。また、第３実施形態では、狭域吐水孔群２１Ｂにおける吐水孔２０ａそれぞれの口径は、広域吐水孔群２２Ｂにおける吐水孔２０ｂそれぞれの口径よりも小さく形成されており、広域吐水孔群２２Ｂを構成する吐水孔２０ｂの開口面積は、狭域吐水孔群２１Ｂにおける吐水孔２０ａ開口面積よりも大きい。
【００３４】
同時吐水モードにおいて、広域吐水孔群２２Ｂから吐水される洗浄水の着水力は、狭域吐水孔群２１Ｂから吐水される洗浄水の着水力よりも小さくなるように流速及び水量が調整されている。
【００３５】
図９は、第３実施形態に係るビデ洗浄装置１Ｂの使用の状態を示す模式図である。図８及び図９に示すように、広域吐水孔群２２Ｂは、狭域吐水孔群２１Ｂを取り囲むように吐水する。広域吐水孔群２２Ｂから吐水される洗浄水の方が、狭域吐水孔群２１Ｂから吐水される洗浄水よりも流速が遅く、着水力が小さくなっている。このため、狭域吐水孔群２１Ｂから吐水される水に勢いがあって局部の近傍に当たって跳ね返るようなことがあったとしても、その周囲の広域吐水孔群２２Ｂから遅く吐水される洗浄水によって跳ね返った飛沫がブロックされ、洗浄水の飛び散りが防止される。
【００３６】
図１０は、第４実施形態に係るビデ洗浄装置１Ｃのヘッド部１１Ｃの斜視図である。
図１０に示すように、狭域吐水孔２１Ｃは、吐水孔２０ａ一つで構成されている。広域吐水孔群２２Ｃは、狭域吐水孔２１Ｃの前方に配置される４つの吐水孔２０ｂと、狭域吐水孔２１Ｃの後方に配置される１０個の吐水孔２０ｂとを含んでいる。第４実施形態では、第３実施形態と同様に、広モード吐水が同時吐水モードを有し、狭域吐水孔２１Ｃは、狭モード吐水の場合にも、広モード吐水の場合にも使用される。
【００３７】
第４実施形態において、広モード吐水範囲のうち、狭域吐水孔２１Ｃから吐水される洗浄水の着水力は、狭域吐水孔２１Ｃの周囲の広域吐水孔群２２Ｃから吐水される洗浄水の着水力よりも高い着水力で吐水され、第１実施形態と同様の効果を奏する。狭域吐水孔２１Ｃが一つで構成されていると、狭モード流路１３に流通する洗浄水の水圧、流量及び流速の調整が容易であり、着水力を制御しやすい。
【００３８】
第１〜第４実施形態に例示されるように、狭域吐水孔は、一つであってもよく、複数の狭域吐水孔群を形成してもよい。
【００３９】
また、第１記実施形態では、複数の吐水孔群２を、広域吐水孔群２２及び狭域吐水孔群２１を構成する各吐水孔２０により構成し、各吐水孔２０の口径（開口面積）に加えて、狭モード流路１３及び広モード流路１４を流通する洗浄水の流速を調整することで着水力を変化させているが、これに限られない。狭モード流路１３及び広モード流路１４を流通する洗浄水の流速を同じものとし、吐水孔２０の口径のみによって着水力を変更させてもよい。
また、第１記実施形態では、広域吐水孔群２２において、コア部２２ａと周辺部２２ｂの吐水孔２０の大きさが異なっているが、開口面積を変更する方法は、吐水口２０の口径を変更するのみに限られない。吐水口２０の数を変更して開口面積を変更し、着水力を変更させてもよい。
【００４０】
また、第１〜第３記実施形態では、ヘッド部１１の形状は直方体として説明しているが、これに限定されない。ノズル部１２の先端に複数の吐水孔群２が設けられていれば、第４実施形態のように円筒形であってもよく、ヘラ型等、その他の形状であってよい。
【符号の説明】
【００４１】
１      ビデ洗浄装置
２      複数の吐水孔群
１２    ノズル部
２１    狭域吐水孔群（狭域吐水孔）
２２    広域吐水孔群
２２ａ  コア部
２２ｂ  周辺部
７１    便器
【図１】
2020056159.tif 000003
【図２】
2020056159.tif 000004
【図３】
2020056159.tif 000005
【図４】
2020056159.tif 000006
【図５】
2020056159.tif 000007
【図６】
2020056159.tif 000008
【図７】
2020056159.tif 000009
【図８】
2020056159.tif 000010
【図９】
2020056159.tif 000011
【図１０】
2020056159.tif 000012